(57)【要約】【課題】  遊技機に孔を開け強引に侵入するような不正行為を検出し、外部に報知することで、遊技機を不正行為より保護することができる。【解決手段】  遊技機に対する不正行為を検出する不正検出装置１であって、遊技機の所定の範囲を覆うようにシート状に形成されるとともに、外力を受けると電気的特性が変化する導電性シート部材２と導電性シート部材２の電気的特性の変化を当該遊技機内部への異物の進入として検出する検出手段３と、検出手段３からの検出信号に基づき所定の報知を行う報知手段３と、を備える構成としてある。【選択図】      図１
2008167843.tif 000002
【特許請求の範囲】
【請求項１】
遊技機に対する不正行為を検出する不正検出装置であって、
遊技機の所定の範囲を覆うようにシート状に形成されるとともに、外力を受けると電気的特性が変化する導電性シート部材と、
前記導電性シート部材の電気的特性の変化を当該遊技機内部への異物の進入として検出する検出手段と、
前記検出手段からの検出信号に基づき所定の報知を行う報知手段と、
を備えることを特徴とした不正検出装置。
【請求項２】
前記導電性シート部材が、外力を受けると静電容量が変化する請求項１記載の不正検出装置。
【請求項３】
前記導電性シート部材が、外力を受けると電気的特性が変化する導電膜を備えてなる請求項１又は２記載の不正検出装置。
【請求項４】
前記導電性シート部材が、間隔をもって、対向して設けられた２枚の前記導電膜を備える請求項３記載の不正検出装置。
【請求項５】
前記導電性シート部材が、柔軟な薄膜形状からなる請求項１〜４のいずれか一項に記載の不正検出装置。
【請求項６】
前記導電性シート部材の全面又は一部に遊技機に貼付可能な粘着部材が設けられた請求項１〜５のいずれか一項に記載の不正検出装置。
【請求項７】
前記導電性シート部材が、少なくとも光が透過する透明又は半透明部材からなる請求項１〜６のいずれか一項に記載の不正検出装置。
【請求項８】
当該不正検出装置の作動に際して、外部から電力が供給されるときは当該電力を使用しつつ、充電するとともに、外部から電力が供給されないときは充電された電力を使用する電源手段を備えた請求項１〜７のいずれか一項に記載の不正検出装置。
【請求項９】
前記導電性シート部材の電気的特性の変化の有無を記憶する記憶手段を備える請求項１〜８のいずれか一項に記載の不正検出装置。
【請求項１０】
前記記憶手段の記憶状態を表示する記憶表示手段を備える請求項９記載の不正検出装置。
【請求項１１】
前記記憶表示手段が、外部電源により作動するようにした請求項１０記載の不正検出装置。
【発明の詳細な説明】
【技術分野】
【０００１】
本発明は、遊技機内部に異物を侵入させるような不正行為を検出する不正検出装置に関し、特に、遊技機に直接ドリル等を用いて強引に遊技機内部に侵入し、不正を行う行為を検出するとともに、検出したことを外部に報知する不正検出装置に関する。
【背景技術】
【０００２】
一般に、スロットマシンやパチンコ機等の遊技機は、不正に遊技媒体であるメダル等を獲得しようとする不正行為者の標的となり易く、遊技機の不正防止対策が重要な課題となっている。
遊技機に対する不正行為は、一般にゴト行為と言われ、遊技機の扉などの隙間より、ピアノ線等を挿入して、不正にメダル等を獲得する行為が代表例として挙げられる。
このような不正行為に対する防犯対策として、いくつかの技術が開示されている。
【０００３】
例えば、遊技機の扉開放を検出するドアセンサ等の不感帯領域と扉の開放量との隔たりを埋めるカバー部材を備えることで、遊技機の扉などの隙間より、ピアノ線等を挿入して、不正にメダル等を獲得する行為を防止するドアセンサ保護構造の技術が開示されている（特許文献１）。
このようなカバー部材を備えることにより、センサが作動するまでの不感帯領域がカバー部材で覆われるため、不正な侵入を妨げることができる。
【０００４】
また、遊技機の扉センサと遊技媒体の排出スイッチの双方を監視し、扉の未開放時に排出スイッチが操作された場合に不正とみなし外部にその旨を報知する技術が開示されている（特許文献２）。
これにより、遊技機の扉を開放することなく、扉の隙間などより排出スイッチを操作する不正を排除することができる。
【０００５】
また、遊技機にタバコや熱した金属棒等により孔を開け内部に侵入することで、不正に遊技媒体を獲得する等の不正行為も頻出している。
このような不正行為に対しては、例えばパチンコ機において、上皿の裏面側に金属製の被覆部材を設けることで、熱したピアノ線等により不正に上皿に孔を開け、ピアノ線等を遊技機に挿入して行う不正行為を阻止することができる技術が開示されている（特許文献３）。
【０００６】
【特許文献１】特開２００１−３７９４８号公報
【特許文献２】特開平７−１２４２９３号公報
【特許文献３】特開２００１−２０４９３７号公報
【発明の開示】
【発明が解決しようとする課題】
【０００７】
しかしながら、最近の不正行為は、上述したような行為よりさらに過激化しており、熱した金属棒等のみならず、ドリル等により強引に遊技機に孔を開け、不正行為を行う事例も挙げられている。
このような、過激な不正行為の場合、既存の隙間を監視する対策や遊技機の使用部材の材質強化ではまったく歯が立たず、前述したいずれの技術においても対応することが困難であり、不正行為を検出することはできなかった。
【０００８】
本発明は、以上のような問題を解決するために提案されたものであり、遊技機に孔を開け強引に侵入するような不正行為を検出し、外部に報知することができる不正検出装置の提供を目的とする。
【課題を解決するための手段】
【０００９】
上記目的を達成するため、本発明の不正検出装置は、請求項１に記載するように、遊技機に対する不正行為を検出する不正検出装置であって、遊技機の所定の範囲を覆うようにシート状に形成されるとともに、外力を受けると電気的特性が変化する導電性シート部材と、前記導電性シート部材の電気的特性の変化を当該遊技機内部への異物の進入として検出する検出手段と、前記検出手段からの検出信号に基づき所定の報知を行う報知手段と、を備える構成としてある。
【００１０】
このような構成からなる本発明の不正検出装置によれば、遊技機に形成された隙間からのセルやピアノ線等の侵入のみならず、遊技機に直接ドリル等で孔を開けて遊技機内部に侵入するような強引な不正行為に対しても、遊技機の所定の範囲を覆う導電性シート部材が、セル、ピアノ線やドリル等の異物の侵入による外力を受けることで静電容量や電気抵抗などの電気的特性が変化するセンサとして機能するため、容易に異物を侵入させるような不正行為を検出することができる。
特に、導電性シート部材を遊技に供する主要な装置等を覆うように遊技機内部の裏面側に設けることで、不正行為者にその存在を気づかれることなく、また遊技機の外観を損ねることもなく不正行為を検出することができる。
【００１１】
そして、このような遊技機内部に異物を侵入させるような不正行為を、信号、所定の表示手段やブザーなどの音により外部に報知することができるため、不正行為者を威嚇するとともに、いち早く不正行為を察知することができ、迅速な遊技機の保護が図られる。
また、二次的効果として、このような導電性シート部材で遊技機の所定の範囲を覆うことで、外部からの電磁波を遮断し、遊技機の誤動作等を防止することができる。
なお、外力とは、導電性シート部材に対する押圧、穿孔などの機械的作用を及ぼす行為のみならず、導電体を接近させる等の電気的変化をもたらす行為も含めるものとする。
【００１２】
また、請求項２記載の不正検出装置は、前記導電性シート部材が、外力を受けると静電容量が変化する構成とすることができる。
このような構成とすることにより、遊技機の内部に強引に異物を侵入させる場合には、導電体である金属製の汎用工具等を用いることが多く、このような導電体の接近により、導通した不正行為者の人体を介して静電容量が変化するため、導電性シート部材を貫通して孔を開けた場合のみならず、導電体が近づくだけで検出可能であり、迅速に不正な侵入を検出することができる。
【００１３】
また、請求項３記載の不正検出装置は、前記導電性シート部材が、外力を受けると電気的特性が変化する導電膜を備えてなる構成とすることができる。
このような構成とすることにより、例えば、静電容量の変化を検出するような場合には、静電容量は、面積に比例するので、膜状に形成することで、メッシュ状等に形成するのに比べ、センサとして機能する導電性シート部材の感度が向上する。その結果、僅かな静電容量の変化も捉えることができ、遊技機内部に異物を侵入させるような不正行為を的確に検出することができる。
【００１４】
また、請求項４記載の不正検出装置は、前記導電性シート部材が、間隔をもって、対向して設けられた２枚の前記導電膜を備える構成とすることができる。
このような構成とすることにより、静電容量の変化を検出するような場合には、例えば、２枚の導電膜間が導電体である金属製の工具等により不正に貫通されたときには、２枚の導電膜間が短絡されることにより、２枚の導電膜間の静電容量は、大きく変化する。
また、静電容量は、面積に比例するとともに距離に反比例するため、導電性シート部材に、間隔をもって、対向して設けられた２枚の導電膜の距離が変化するような外力が加わることで、２枚の導電膜間の静電容量が大きく変化する。
これらの変化を検出することで、より精度よく、遊技機内部に異物を侵入させるような不正行為を検出することができる。
さらに、上記２枚の導電膜間の距離が変化するような外力が加わる場合は、外力を加える異物が、絶縁体でも静電容量の変化が得られるため、異物の材質に左右されず、異物の侵入を検出することができる。
一方、電気抵抗の変化を検出するような場合には、例えば、２枚の導電膜が導電体である金属製の工具等により不正に貫通されたときには、２枚の導電膜間の導通を検出することで、異物の侵入として検出することもできる。
【００１５】
また、請求項５記載の不正検出装置は、前記導電性シート部材が、柔軟な薄膜形状からなる構成とすることができる。
このような構成とすることにより、導電性シート部材が柔軟な薄膜形状で形成されるため、遊技機の内部等に場所を問わず適切な部位に配設することができ、遊技機の的確な保護が図られる。
【００１６】
また、請求項６記載の不正検出装置は、前記導電性シート部材の全面又は一部に遊技機に貼付可能な粘着部材が設けられた構成とすることができる。
このような構成とすることにより、導電性シート部材に貼付可能な粘着部材が設けられているため、遊技機に簡単に配設できるとともに、貼り替えが容易となり、汎用性を有し、適切な部位に選択的に貼り替えることができる。
【００１７】
また、請求項７記載の不正検出装置は、前記導電性シート部材が、少なくとも光が透過する透明又は半透明部材からなる構成とすることができる。
このような構成とすることにより、例えば、導電性シート部材が遊技機の内側のみならず、表面を覆うこともでき、その存在を悟られることなく不正行為を検出することができる。
また、遊技機に配設された装飾表示灯より照射された光が、当該導電性シート部材を透過することになり、装飾の美観を阻害することなく、導電性シート部材を装着することができる。
【００１８】
また、請求項８記載の不正検出装置は、当該不正検出装置の作動に際して、外部から電力が供給されるときは当該電力を使用しつつ、充電するとともに、外部から電力が供給されないときは充電された電力を使用する電源手段を備えた構成とすることができる。
このような構成とすることにより、遊技場の営業中においては、遊技機やホール設備等の外部から電源の供給を受けつつ、充電するとともに、遊技場の閉店後は、遊技機やホール設備等の電源を断にしても、充電した電力を利用して、遊技機内部に異物を侵入させるような不正行為を監視することができるので、効率的に不正行為を検出することができる。
【００１９】
また、請求項９記載の不正検出装置は、前記導電性シート部材の電気的特性の変化の有無を記憶する記憶手段を備える構成とすることができる。
このような構成とすることにより、導電性シート部材の電気的特性の変化の有無を記憶するため、遊技機内部に異物を侵入させるような不正行為があった痕跡を保持することができ、例えば、遊技場の閉店後に不正行為があった場合にも容易に発見することができる。
【００２０】
また、請求項１０記載の不正検出装置は、前記記憶手段の記憶状態を表示する記憶表示手段を備える構成とすることができる。
このような構成とすることにより、記憶表示手段により記憶状態を表示するため、遊技機内部に異物を侵入させるような不正行為があった痕跡を一見して判別することができ、特に閉店後に行われた不正行為を翌日の開店時に確認するような場合に最適である。
【００２１】
また、請求項１１記載の不正検出装置は、前記記憶表示手段が、外部電源により作動するようにした構成とすることができる。
このような構成とすることにより、外部から電力が供給されない限り、記憶表示手段が作動しないため、例えば、記憶表示手段が遊技場の設備等より電源の供給を受けている場合において、閉店後ホール設備等の電源断時に遊技機内部に異物を侵入させるような不正行為が行われ、当該不正検出装置が検出したときでも、記憶表示手段は作動しない。その結果、表示のための電力を消費することがないため、節電に寄与するとともに、その分の電力を前述した記憶手段による記憶状態の保持のために費やすことができる。
【発明の効果】
【００２２】
本発明の不正検出装置によれば、遊技機に孔を開け強引に侵入するような不正行為を検出し、外部に報知することで、遊技機を不正行為より保護することができる。
【発明を実施するための最良の形態】
【００２３】
以下、本発明に係る不正検出装置の好ましい実施形態について、図１〜図４を参照して説明する。
図１は、本実施形態に係る不正検出装置を示す概略斜視図であり、図２は、導電膜ユニットの概略断面図である。
また、図３は、本実施形態に係る不正検出装置の全体回路図であり、図４は、不正検出装置の使用状態を示す概略断面図である。
図４に示す例では、本実施形態の不正検出装置を、スロットマシン１００に適用するものとし、この場合のスロットマシン１００は、公知の回胴式遊技機を構成しているため、このスロットマシン１００に関する説明は省略する。
【００２４】
［不正検出装置］
本実施形態に係る不正検出装置１は、図４に示すように、スロットマシン１００に設けられたパネル部１０６の裏面に貼付され、スロットマシン１００に孔等を開けて内部へ不正に侵入するような行為を検出することができる不正検出装置である。
具体的には、不正検出装置１は、外力により電気的特性が変化する本発明に係る導電性シート部材として機能する導電膜ユニット２と、この電気的特性の変化を検出し報知する本発明に係る検出手段及び報知手段として機能する検出回路ユニット３から構成されている。
以下に各ユニットの構成について詳細に説明する。
【００２５】
［導電膜ユニット］
導電膜ユニット２は、本発明に係る導電性シート部材として機能する部材で、図１及び図２に示す例では、本発明に係るスロットマシン１００のパネル部１０６を覆うようにシート状に形成されるとともに、外力を受けると電気的特性が変化するように２枚の導電膜を備えるユニットであり、導電膜ユニット本体２１と接続ケーブル２２から構成されている。
導電膜ユニット本体２１は、透明な四角形のシート形状で、柔軟な薄膜状に形成されているとともに、スロットマシン１００に貼付可能なように粘着剤が塗布されている。
【００２６】
具体的には、図２に示す例では、導電膜ユニット本体２１は、複数の材料が積層された四角形のシート状に形成されており、透明でかつ導電性を有する薄膜状の導電膜２１１ａ，２１１ｂが両面に形成された透明な絶縁素材である樹脂フィルム２１１と、その全面をコーティングする透明なアンカー剤２１２と、片面に塗布されたスロットマシン１００に貼付可能な透明な粘着剤２１３から構成されている。
この樹脂フィルム２１１は、厚さ約５０μｍのポリエステル系の絶縁樹脂フィルムからなり、その両面にはＩＴＯ（Indium Tin Oxide）等の透明で導電性を有する導電膜２１１ａ，２１１ｂが、薄膜蒸着、スパッタリング等の製法により、約２０μｍの厚さで薄膜状に形成されている。
アンカー剤２１２は、ポリエステル系の絶縁コーティング剤で、前述した樹脂フィルム２１１の全面を覆うように約４０μｍの厚さで形成されている。
粘着剤２１３は、アクリル系樹脂、ビニル系樹脂等を主成分とする透明な粘着剤で、スクリーン印刷等の製法により約５００μｍの厚さで塗布されている。
また、この粘着剤２１３は、剥離可能となるようにシリコーン樹脂などの離型性の樹脂が表面に施されており、スロットマシン１００への貼り替えが容易にできるようになっている。
【００２７】
接続ケーブル２２は、上記導電膜２１１ａ，２１１ｂと後述する検出回路ユニット３を電気的に接続するケーブルを構成しており、二本の平行線からなる接続コード２２１と接続コネクタ２２２が設けられている。
接続コード２２１は、当該コードを覆う被覆を剥がしたリード線２２１ａが導電膜２１１ａ，２１１ｂと圧接等により接合されている。
接続コネクタ２２２は、雄型のコネクタで、接続コード２２１とターミナルを介して接続されている。
【００２８】
以上のように、本発明に係る導電性シート部材として機能する導電膜ユニット２を構成することにより、導電膜ユニット本体２１が柔軟な薄膜形状で貼付可能なように粘着性をもって形成されるため、スロットマシン１００の内部等に場所を問わず容易に貼り付けることができ、汎用性を有するとともに、適切な部位に選択的に貼り付けることができるためスロットマシン１００の的確な保護が図られる。
また、導電膜ユニット本体２１は、薄膜状の導電膜２１１ａ，２１１ｂを備えるとともに、導電膜２１１ａ，２１１ｂが、樹脂フィルム２１１の厚さ約５０μｍの間隔をもって、対向して設けられるように構成されている。これらにより、膜状に形成することで、メッシュ状等に形成するのに比べ、静電容量の変化を検出するセンサとしての感度が向上するとともに、２枚の導電膜が間隔をもって、対向して設けられることで、導電膜間の導電体の貫通による短絡や、外力による導電膜間の間隔の変化で、２枚の導電膜間の静電容量が大きく変化し、より精度よく、不正な侵入を検出することができる。
さらに、この場合、外力を加える異物は、導電体に限られず、２枚の導電膜間の静電容量が変化するような機械的な外力が加わることでも、検出することができる。
【００２９】
また、導電膜ユニット本体２１が、透明な部材から構成されることにより、例えば、導電膜ユニット２がスロットマシン１００の内側のみならず、表面を覆うこともでき、その存在を悟られることなく不正行為を検出することができる。また、スロットマシン１００に配設された装飾表示灯より照射された光が、当該導電膜ユニット２を透過することになり、装飾の美観を阻害することなく装着することができる。
【００３０】
［検出回路ユニット］
検出回路ユニット３は、導電膜ユニット２と大地間の静電容量の総和の変化を介して、導電膜ユニット２の導電膜２１１ａと導電膜２１１ｂの間の静電容量の変化や導電膜ユニット２への導電体の接近又は接触による静電容量の変化を検出するとともに報知する本発明に係る検出手段及び報知手段として機能するユニットである。
検出回路ユニット３は、図１に示す例では、四角の箱体状に形成されており、筐体からなる検出回路ユニット本体３１と、本発明に係る検出手段、報知手段及び記憶手段として機能する検出回路基板３２と、記憶表示手段として機能する記憶表示ＬＥＤ１と、記憶手段を初期化するリセットスイッチＳＷ１から構成されている。
以下各部材ついて、詳述する。
【００３１】
検出回路ユニット本体３１は、図１に示す例では、外力により容易に変形・破壊されないように強固な金属製のケースで形成されている。
検出回路ユニット本体３１の上面には、本発明に係る記憶表示手段として機能する記憶表示ＬＥＤ１と本発明に係る記憶手段を初期化するリセットスイッチＳＷ１が設けられている。
【００３２】
記憶表示ＬＥＤ１は、後述する検出回路基板３２に電気ケーブルを介して接続されており、後述する検出手段により導電膜ユニット２に係る静電容量の総和の変化が検出された場合に作動する記憶手段が作動したときに、点灯するようになっている。
一方、リセットスイッチＳＷ１は、後述する検出回路基板３２に電気ケーブルを介して接続されており、後述する記憶手段が記憶した検出手段による検出状態を検出がない初期化状態にリセットする押しボタン型のスイッチである。
なお、各々の詳細な説明は、後述するものとする。
【００３３】
検出回路ユニット本体３１の両側面には、後述する当該検出回路ユニット本体３１に内蔵する検出回路基板３２に設けられた入力コネクタ３２１と出力コネクタ３２２を外部に露出させるための開口部が設けられている。
【００３４】
検出回路基板３２は、本発明に係る検出手段、報知手段及び記憶手段として機能する電子回路基板であり、後述する電子部品が実装されたプリント配線基板である。
検出回路基板３２の両端には、図１に示すように、前述した導電膜ユニット２の接続ケーブル２２に設けられた接続コネクタ２２２と電気的に接続可能な入力コネクタ３２１と、外部のホールコンピュータと出力ケーブル３３を介して接続可能な出力コネクタ３２２がそれぞれ実装されている。
【００３５】
入力コネクタ３２１は、検出回路ユニット本体３１の上記開口部から露出され、前述した導電膜ユニット２の接続コネクタ２２２と接続されることで、導電膜ユニット２の導電膜２１１ａと導電膜２１１ｂの間の静電容量の変化や導電膜ユニット２への導電体の接近又は接触による静電容量の変化が電気信号として検出回路基板３２に入力されるようになっている。
出力コネクタ３２２は、同様に検出回路ユニット本体３１の上記開口部から露出され、後述する不正検出信号を外部に出力するとともに、外部に設けられた電源より当該不正検出装置１の作動に要する電力の供給を受けるためのコネクタである。
そして、この出力コネクタ３２２には、外部のホール設備であるホールコンピュータと接続可能となるように出力ケーブル３３が接続されている。
なお、各ユニット間の接続、出力信号、電源の供給についての詳細な説明は後述するものとする。
【００３６】
［不正検出装置回路構成］
続いて、本実施形態に係る不正検出装置１の回路構成について、図３を参照しつつ説明する。
図３は、前述した導電膜ユニット２と検出回路ユニット３が接続された状態を示す本実施形態に係る不正検出装置１の全体回路図である。
【００３７】
まず、本発明に係る電源手段について説明する。
不正検出装置１に設けられた電源手段は、図中の右上の部分で構成され、＋５Ｖの外部電源ライン、ＧＮＤラインは、図示しないホールコンピュータに接続されており、電源は当該ホールコンピュータが作動中は、ホールコンピュータから供給される外部電源（＋５Ｖ）を利用する構成となっている。
そして、外部電源ラインとＧＮＤラインは、バイパスコンデンサＣ１を介して接続されている。
【００３８】
なお、図中のリチウムイオン二次電池ＢＡＴ及びその周辺部品（ダイオードＤ１，ダイオードＤ２，抵抗Ｒ１，コンデンサＣ２）は、ホールコンピュータが作動している遊技場の営業中は、リチウムイオン二次電池ＢＡＴを充電し、外部電源が供給されていないときは、リチウムイオン二次電池ＢＡＴが、当該不正検出装置１の電源として機能するようになっている。
これにより、遊技場の営業中においては、ホールコンピュータの外部電源の供給を受けつつ、リチウムイオン二次電池ＢＡＴを充電するとともに、遊技場の閉店後は、ホールコンピュータの電源を断にしても、リチウムイオン二次電池ＢＡＴに充電した電力を利用して、当該不正検出装置１を作動させ、スロットマシン１００内部に異物を侵入させるような不正行為を監視することができるので、効率的に不正行為を検出することができる。
【００３９】
次に、本発明に係る検出手段である静電容量の変化を検出する回路構成について説明する。
同図中の静電容量ＣＸ１は、導電膜ユニット２の導電膜２１１ａと導電膜２１１ｂの間の静電容量を示している。また、静電容量ＣＸ２は、導電膜ユニット２と当該不正検出装置２のＧＮＤ間の静電容量を示しており、不正行為により導電膜ユニット２の導電膜２１１ａと導電膜２１１ｂの間が、例えば、導電体の貫通等により短絡状態となった場合にも、後述する電荷移動接触センサＵ１のＳＮＳ２端子が、接地状態とならないように設けられている。
本発明に係る検出手段として機能する図中の電荷移動接触センサＵ１（ＱＵＡＮＴＵＭ社製ＱＴ１１３）は、タッチ式の静電容量センサＩＣで、比較用の固定コンデンサＣＳと、ＳＮＳ２端子と大地間の静電容量の総和である合成容量ＣＸとの比率を監視している。
なお、導電膜ユニット２と当該不正検出装置２のＧＮＤ間の静電容量ＣＸ２は、導電膜ユニット２の導電膜２１１ａと導電膜２１１ｂの間の静電容量ＣＸ１とほぼ等しい電気容量のコンデンサを選定するものとし、固定コンデンサＣＳは、静電容量ＣＸ１と静電容量ＣＸ２の直列合成容量の１０倍程度の電気容量を有するコンデンサを選定する。
これら選定されるコンデンサの電気容量は、厳密な精度や比率を要求するものではない。
【００４０】
次に、具体的な検出手段の検出原理について説明すると、導電膜ユニット２に静電容量が変化するような外力が加わることで、電荷移動接触センサＵ１のＳＮＳ２端子と大地間の静電容量の総和である合成容量ＣＸが変化する。
【００４１】
例えば、導電膜ユニット２を導電体が貫通すると、導電膜ユニット２の導電膜２１１ａと導電膜２１１ｂが短絡するため、静電容量ＣＸ１は変化する。また、不正な外力が加わることで、導電膜ユニット２の導電膜２１１ａと導電膜２１１ｂの間隔が変化すると、静電容量ＣＸ１も変化する。
このような場合の電荷移動接触センサＵ１のＳＮＳ２端子と大地間の静電容量の総和である合成容量ＣＸは、静電容量ＣＸ１と静電容量ＣＸ２の直列合成容量として、次式
ＣＸ＝（ＣＸ１×ＣＸ２）／（ＣＸ１＋ＣＸ２）
により導き出され、静電容量ＣＸ１が変化することにより、合成容量ＣＸが変化することになる。なお、上記の例において、短絡した場合には、
ＣＸ＝ＣＸ２
となる。
【００４２】
一方、導電膜ユニット２に、人体を含む導電体が接触、又は近づくことで、新たな静電容量ＣＸ３が加わり、ＳＮＳ２端子と大地間の静電容量の総和である合成容量ＣＸが変化する。
この場合の合成容量ＣＸは、次式
ＣＸ＝ＣＸ３＋（ＣＸ１×ＣＸ２）／（ＣＸ１＋ＣＸ２）
により導き出される。
【００４３】
いずれの場合においても、導電膜ユニット２に静電容量が変化するような外力が加わると、総和である合成容量ＣＸが変化する。
電荷移動接触センサＵ１は、この合成容量ＣＸの変化を固定コンデンサＣＳと比較しつつ監視することにより、合成容量ＣＸの変化があった場合には、電荷移動接触センサＵ１の出力端子（ＯＵＴ反転）よりＬｏｗ信号が所定の時間出力されるようになっている。
そして、この検出信号に基づき、後述するフリップフロップＵ３等を介して不正検出信号が外部に出力され、後述するブザーＢＺ１とともに本発明に係る報知手段として機能するようになっている。
【００４４】
次に、本発明に係る記憶手段及び記憶表示手段に係る回路構成について説明する。
本発明に係る記憶手段として機能するのは、図中のフリップフロップＵ３である。
フリップフロップＵ３は、ＲＳ型フリップフロップであり、Ｒ端子とＳ端子を制御することで、出力端子Ｑの論理状態をセット、リセットし、その状態を保持することができる。
【００４５】
具体的には、フリップフロップＵ３が、Ｒ端子を介して既にリセットされた状態において、上記電荷移動接触センサＵ１の出力端子（ＯＵＴ反転）より出力されたＬｏｗ信号がインバータＵ２により反転され、当該フリップフロップＵ３のＳ端子に入力されることで、フリップフロップＵ３のＱ端子からＨｉｇｈ信号が出力され、次にＲ端子がリセットされるまで、この出力が保持された状態になっている。
これにより、導電膜ユニット２に係る合成容量ＣＸの変化の有無を記憶することとなる。この結果、外力を及ぼすようなスロットマシン１００内部に異物を侵入させる不正行為があったことが電気的に記憶される。
また、このフリップフロップＵ３のＱ端子からのＨｉｇｈ信号が不正検出信号であり、この不正検出信号がホールコンピュータに出力されることで、本発明に係る報知手段として機能している。
【００４６】
次に、本発明に係る記憶表示手段として機能するのは、図中の記憶表示ＬＥＤ１である。
記憶表示ＬＥＤ１は、外部電源（＋５Ｖ）に制限抵抗Ｒ８を介して接続されており、上記不正検出信号により、インバータＵ５を介して制御されるようになっている。
そして、外部電源からの電力の供給がある場合で、不正検出信号が出力されているときには、記憶表示ＬＥＤ１が点灯するようになっている。
反対には、外部電源からの電力の供給がない場合は、不正検出信号が出力されていても、記憶表示ＬＥＤ１は点灯しないようになっている。
【００４７】
これにより、外部電源からの電力の供給がある場合は、閉店後ホール設備等の電源断時にスロットマシン１００内部に異物を侵入させるような不正行為が行われ、当該不正検出装置１が検出したときには、記憶表示ＬＥＤ１が点灯することで記憶状態であることが判別できる。この結果、スロットマシン１００内部に異物を侵入させるような不正行為があった痕跡を一見して判別することができ、特に閉店後に行われた不正行為を翌日の開店時に確認するような場合に最適である。
反対に、外部電源からの電力の供給がない場合は、閉店後ホール設備等の電源断時にスロットマシン１００内部に異物を侵入させるような不正行為が行われ、当該不正検出装置１が検出したときでも、記憶表示ＬＥＤ１は点灯されない。この結果、点灯のための電力を消費することがないため、節電に寄与するとともに、その分の電力を前述した記憶手段による記憶状態の保持のために費やすことができる。
【００４８】
なお、本実施形態に係る不正検出装置１には、上記記憶手段及び記憶表示手段を初期化するためリセットスイッチＳＷ１が設けられている。
リセットスイッチＳＷ１は、外部電源（＋５Ｖ）であるホールコンピュータの作動中のみに機能するよう接続されており、記憶手段として機能するフリップフロップＵ３をリセットする押しボタンスイッチである。
【００４９】
具体的には、外部電源（＋５Ｖ）が供給されている場合において、リセットスイッチＳＷ１を押下することにより、トランジスタＱ２及びその周辺回路（抵抗Ｒ４，抵抗Ｒ５，抵抗Ｒ６）によるスイッチング機能により、負論理ＯＲゲートＵ４の一方の入力側にＬｏｗ信号が入力され、フリップフロップＵ３がリセットされるようになっている。このとき、Ｑ端子からＬｏｗ信号が出力されるとともに、記憶表示手段としての記憶表示ＬＥＤ１が消灯する。
これにより、電気的に記憶されていた不正行為を、目視しながら確実に初期化することができる。
なお、負論理ＯＲゲートＵ４の他方の入力側を構成する周辺回路（ダイオードＤ３，抵抗Ｒ７，コンデンサＣ３）は、リチウムイオン二次電池ＢＡＴが、未充電時にフリップフロップＵ３をリセットするための、リセット回路を構成しており、これにより、未充電時であって外部より電力が供給されたときに、フリップフロップＵ３のＱ端子から不定な不正検出信号を出力することが回避されるようになっている。
【００５０】
次に、本発明に係る報知手段として機能するブザーＢＺ１に係る回路構成について説明する。
図中のブザーＢＺ１は、電荷移動接触センサＵ１の出力端子（ＯＵＴ反転）にＬｏｗ信号の出力があった場合に電子音を発し、不正行為者を威嚇するとともに、外部に不正行為があったことを報知するようになっている。
電荷移動接触センサＵ１の出力端子（ＯＵＴ反転）に出力されるＬｏｗ信号の出力は、一定時間経過後（１０秒又は６０秒）にＨｉｇｈ信号の出力に復帰する。
【００５１】
すなわち、電荷移動接触センサＵ１のＳＮＳ２端子と大地間の静電容量の総和である合成容量ＣＸの変化を検出すると、電荷移動接触センサＵ１の出力端子（ＯＵＴ反転）から所定の時間Ｌｏｗ信号が出力される。この信号に基づくインバータＵ２により反転されたＨｉｇｈ信号により、ブザーＢＺ１のドライブ回路（トランジスタＱ１，抵抗Ｒ２，抵抗Ｒ３）が制御され、ブザーＢＺ１が所定の時間作動するようになっている。
これにより、不正行為者を威嚇するとともに、スロットマシン１００内部に異物を侵入させるような不正行為を外部に報知することができるため、いち早く不正行為を察知することができ、迅速な遊技機の保護が図られる。
【００５２】
［不正検出装置の使用］
次に、本実施形態に係る不正検出装置１の使用について図４を参照しつつ説明する。
図４は、不正検出装置１をスロットマシン１００に適用した使用状態を示す概略断面図である。
スロットマシン１００は、スタートレバー１０１を作動させることで、３つのリール１０２が回転を開始し、停止したリール１０２に表された図柄の組合せに応じて、遊技媒体であるメダルが受け皿１０３に払い出される公知の回胴式遊技機である。
同図に示すように、スロットマシン１００の内部には、遊技の結果により遊技媒体を払い出すこととなる役の出現確率を設定可能な設定キースイッチ１０４と、高価な景品と交換可能な遊技媒体であるメダルを貯留するとともに、停止図柄の組合せに応じてメダルを払い出すメダル払出装置１０５が備えられている。
【００５３】
これらの装置は、外部からの不正な侵入の標的となりやすいため、本実施形態に係る不正検出装置１が、スロットマシン１００が前面からドリル等により孔を開けられた場合に検出するように、図４に示す例では、導電膜ユニット２はパネル部１０６の裏面を覆うように貼付した構成としてある。
そして、不正検出装置１は、不正検出装置１の出力ケーブル３３を介して図示しないホールコンピュータと接続されており、ホールコンピュータから電源の供給を受けるとともに、ホールコンピュータに不正検出信号を出力することができるようになっている。
【００５４】
このような構成において、外部から不正者が、ドリル等によりパネル部１０６の表より孔を開けることで、導電膜ユニット２と大地間の静電容量の総和である合成容量ＣＸが変化し、これを検出手段である検出回路ユニット３の電荷移動接触センサＵ１が検出するとともに、記憶手段であるフリップフロップＵ３を介して、不正検出信号としてホールコンピュータに出力され、外部に報知されるようになっている。
これと同時に、報知手段としてのブザーＢＺ１が所定時間作動し、異物を侵入させるような不正行為があったことが報知される。
【００５５】
以上のような本実施形態に係る不正検出装置によれば、スロットマシン１００に孔を開け強引に侵入するような不正行為を検出し、外部に報知することで、遊技機を不正行為より保護することができる。
【００５６】
以上、本発明の不正検出装置について、好ましい実施形態を示して説明したが、本発明に係る不正検出装置は、上述した実施形態にのみ限定されるものではなく、本発明の範囲で種々の変更実施が可能であることは言うまでもない。
例えば、本実施形態では、２枚の導電膜間の静電容量の変化を検出する構成としたが、導電膜を１枚とし、これに接近する導電体（人間、金属）との間の静電容量の変化を検出する構成とすることもできる。
また、本実施形態では、導電膜の電気的特性が変化を静電容量の変化としたが、２枚の導電膜をスペーサ等で浮かせた状態で積層させる構成とすることで、外力により導電膜が押圧又は導電体の貫通により、２枚の導電膜が接触又は導通したときの抵抗値の変化を電気的特性の変化と捉えることもできる。
また、本発明が適用されるのは、上述した実施形態で示したスロットマシンに限らず、パチンコ機でもよく、どのような遊技機であっても適用が可能である。この種の遊技機としては、スロットマシン（パチロット，パロットを含む）やパチンコ機の他、例えば、アレンジボール機，雀球機等、各種の遊技機があり、いずれも本発明の適用対象とすることができる。
【産業上の利用可能性】
【００５７】
本発明は、パチンコ機やスロットマシンなどの遊技機内部に異物を侵入させるような不正行為を検出し、外部に報知する不正検出装置として広く利用することができる。
【図面の簡単な説明】
【００５８】
【図１】本発明の一実施形態に係る不正検出装置を示す概略斜視図である。
【図２】本発明の一実施形態に係る不正検出装置の導電膜ユニットを示す概略断面図である。
【図３】本発明の一実施形態に係る不正検出装置の全体回路図である。
【図４】本発明の一実施形態に係る不正検出装置の使用状態を示す断面図である。
【符号の説明】
【００５９】
１  不正検出装置
２  導電膜ユニット
２１  導電膜ユニット本体
２１１  樹脂フィルム
２１１ａ，２１１ｂ  導電膜
２１２  アンカー剤
２１３  粘着剤
２２  接続ケーブル
２２１  接続コード
２２２  接続コネクタ
３  検出回路ユニット
３１  検出回路ユニット本体
３２  検出回路基板
３２１  入力コネクタ
３２２  出力コネクタ
３３  出力ケーブル
１００  スロットマシン
１０１  スタートレバー
１０２  リール
１０３  受け皿
１０４  設定キースイッチ
１０５  メダル払出装置
１０６  パネル部
【図１】
2008167843.tif 000003
【図２】
2008167843.tif 000004
【図３】
2008167843.tif 000005
【図４】
2008167843.tif 000006